(57)【特許請求の範囲】
【請求項１】
少なくとも２層に重ねられて延在するフィルム状生地を有する帯状基材であって、当該帯状基材はロール状に巻かれて提供されると共に、長さ方向に連なる複数の要素を有し、前記要素の各々において重層した生地間が熱融着されて衣類の輪郭を全体的又は部分的に形成すると共に当該要素の各々における余白部分に手袋・靴カバー・袋といった附属物の輪郭部をも形成し、且つ各要素の間の区分線及び各要素における各輪郭線に沿ってミシン目状の切取線が設けられ、各要素毎に切取線に沿って帯状基材から分離され、当該分離された要素から当該切取線に沿って衣類及びその付属物が切り離されることで、連続的に衣類が提供される、ことを特徴とする簡易型衣類提供基材。
【請求項２】
少なくとも２層に重ねられて延在した生地を有するフィルム状帯状基材であって、当該帯状基材がロール状に巻かれて提供されると共に、長さ方向に連なる複数の要素を有し、前記要素毎に重層した生地間で熱融着されて衣類の輪郭が形成されると共に当該要素の各々における余白部分に手袋・靴カバー・袋といった附属物の輪郭部をも形成され且つ各要素の間の区分線及び各要素における各輪郭線に沿ってミシン目状の切取線が設けられた前記帯状基材において、前記ロールより帯状基材を繰り出し、繰り出されたロールの先端から逐次前記要素を切取線に沿って分割し、当該分割された要素から当該切取線に沿って衣類及びその付属物を提供する、ことを特徴とする簡易型衣類提供方法。
【発明の詳細な説明】
【０００１】
【発明の属する技術分野】
本発明は、複数の衣類を一体的に保管でき且つ簡易に提供しうる簡易型の衣類提供基材及び衣類提供方法に関する。特に本発明は、大量に且つ低コストで製造できるとともに、場所をとらず簡便に衣類を供給できる帯状の簡易型の衣類提供基材及び衣類提供方法に関する。加えて本発明は、様々な場所で簡易且つ安価にレインポンチョを提供しうる簡易型衣類提供基材に関する。
【０００２】
【従来の技術】
今日の多様な市場の要求に伴い、多様な形態や素材を有する衣類が提供されている。しかしながら、顧客への衣類の提供は、依然として個々の衣類毎に整理し展示し、しかも、個別にカバーを掛けて保管するといった方法がとられてきた。従って、そのような衣類を生産する上では、衣類として出来上がるまでには、縫合や大きさの調整等の様々な工程を必要とするとともに、出来上がった製品をいちいち袋詰めし、個々に商品を特定するための商品コードや値札を貼り付けるといった手間を必要としていた。しかも、商品が傷つきその商品価値を失わないようにするために、箱詰めや運搬にもより慎重を期す必要があった。また、商品を顧客に販売提供する店舗等においては、多量な商品を扱う際にその保管に場所をとるとともに、店舗内に同一類似衣類毎に整列して陳列する必要があり、しかも顧客が衣類を吟味した後の散乱した状態を絶えず整えるといった労力を強いられていた。
【０００３】
このような店舗等における場所の確保の必要性や労力の大きさから、多量な商品を扱うには一定の限界を生じていた。
【０００４】
更には、衣類の取り扱いや保管には過度の手間と労力を要することから、衣類を提供するには、百貨店や専門店といった一定の場所に限られることとなり、今日の安価で多様な商品を展開する傾向となっているコンビニエンスストアーやキオスク等にあっては、衣類に関しての提供は殆ど行われずにいた。従って、急な用途や、あるいは遊び心で多様で安価な衣類を着こなすには、必ずしもすぐに衣類を入手できる環境とは成っていなかった。
【０００５】
例えば、急な用途として必要である衣類としては、レインコートやレインポンチョが特に挙げられる。そして、急な雨等に備えるものとして簡易型のレインコートやポンチョが従来から用いられていた。また、ビニール素材でできたレインポンチョが登山やゴルフ中のにわか雨の際、あるいは災害時等に使用するために存在していた。
【０００６】
しかしながら、一般に簡易レインポンチョ又はコートといえども身頃・袖・フードといった型に沿って生地を切断し、それぞれの外縁部を圧着あるいは縫って製造されており、通常の洋服とかなり近い方法で製造されていた。従って、裁断・縫製にコスト、労力、時間がかかっていた。出来上がった製品も袖、フード等の部分が立体的で、これをたたんで袋に入れるという労力、時間があった。また、これをたたんで袋に入れてもある程度の膨らみがあって持ち運びにかさばった。
【０００７】
このために、従来の簡易レインコートやポンチョは一時的に雨をしのぐためだけのものでありながら価格が高く、また一回使用しただけで廃棄するには上等すぎる品質のものであった。しかも流通面を考えると場所をとるという難点があり、店舗等において在庫として確保できる数には限りがあった。
【０００８】
従って、需要者の側から見ると雨が降り出したらどこででも入手できるというよりは、予め用意しておいて急な雨の際に取り出して使用するという使用方法が一般的であったため、必ずしも急な場合に常に対応できるというものではなかった。
【０００９】
【発明が解決しようとする課題】
従って、本発明は、簡易で安価に製造でき供給しやすい衣類を提供することを目的とする。
【００１０】
また本発明は、多量に生産可能であると共に、環境面を考慮して、その後の廃棄処分するうえで環境面で優れた品質を持ち、撥水性があって軽く安価な衣類を提供することを目的とする。
【００１１】
また本発明は、着る人に合わせて様々なサイズの簡易型の衣類を提供することを目的とする。
【００１２】
更に本発明は、衣類の他に手袋・靴カバー・袋等の附属物をも同時に提供することを目的とする。
【００１３】
加えて本発明は、その保管が容易であり場所をとらず、様々な店舗等で保管提供でき、急な用途が発生しても即座に入手可能な衣類、特にレインポンチョを提供することを目的とする。
【００１４】
【課題を解決するための手段】
上記目的を達成するために、本発明は以下の特徴を有する。
【００１５】
すなわち本発明によれば、長さ方向に連なる複数の要素を有する少なくとも２層に重ねられて延在した生地を有する帯状の衣類提供基材である。基材を構成するその要素の各々は、衣類の輪郭を形成するように重層した生地間が熱融着されており、その衣類の輪郭に応じてミシン目状の切取線が設けられる。そして、各要素毎に帯状基材から分割され且つ当該分割された要素から当該切取線に沿って衣類を切り離すことで簡易に衣類が提供される。
【００１６】
特に、その帯状基材の生地はフィルム状の延在した形状を成し、その生地を多層に重ね合わせることで帯状基材が構成される。
【００１８】
また、その帯状基材はロール状に巻かれており、その保管を容易にしている。顧客に提供あるいは展示するには、ロールの先端を一部分引き出せばよく、また巻き込んで元のロール状態に戻すことも容易である。
【００２０】
更に、各要素毎の分割を容易にするために、各要素間において各要素の分割を補助する切り込みが帯状基材に設けられている。
【００２１】
輪郭を形成するための帯状基材間の熱融着は、例えばシート間に超音波振動を与えることにより行われる。
【００２２】
加えて、使用する人のサイズに適するように、袖口及び裾部分にミシン目状の切取線を段階的に複数平行して設け、その部分から切断して希望するサイズの衣類を得られるようにしている。
【００２３】
更に本発明によれば、手袋・靴カバー・袋といった附属物をシート基材の余白部分に構成することで、無駄をなくし、趣味や災害時等の多様な目的にも適合しうる付属物を提供しうるようにしている。
【００２４】
また、本発明によれば、フード形状に輪郭が形成されたレインポンチョがフィルム基材に構成される。これによって、従来から雨天や緊急時において特に有用且つ必要であった簡易のレインポンチョを多様な店舗で保管供給しうるようにしている。
【００２５】
【発明の実施の形態】
本発明による基材は、２層以上の重ねられ長く延びた略扁平な形状をなしている。この基材は、例えば同一幅を有した２枚又は複数枚の扁平の生地が互いに重ねられて多層の帯状を形成するか、又は長く延びた同一径を有する筒状で薄い生地を平らに潰して２層にし、又はこれらを複合して形成される。
【００２６】
帯状をなした基材には、衣類形状を形作るようにその輪郭が形成されている。この輪郭は、多層の扁平な生地を上下に接合して得られる。例えば、衣類がトレーナーであれば、肩の部分と両脇から胴側に至る部分までが部分的に生地が上下で接合されて衣類の輪郭が形成される。接合されない部分は、首や手を出すための胴回りや袖口として提供される。更に、その輪郭にほぼ沿って、その外縁にはその基材から衣類を切り出すことのできる切取線が設けられる。この切取線は、接合部が一定の幅を有して輪郭を形成する場合、すなわち、生地間が幅を持って接合されている場合には、接合部の外縁ではなくその接合部内に設けることもできる。
【００２７】
その切取線から一つの衣類を分離して基材から取り出すことができる。分離された衣類は、衣類の輪郭に沿って部分的に接合された生地間の内部が空洞を形成し、しかも接合していない首口や袖口が外部と連通するため、衣類として身につけることができる。尚、衣類の輪郭以外の部分も含めて全体的に接合させるとともに、不要な接合部分を除去するための切取線を設けることで、最終的に開口部、例えば袖口部分、を有した衣類を提供するようにしてもよい。また、基材には、衣類の他、手袋、靴カバー、袋と行いった付属物を空いた空間に形成することもできる。その形成方法は上記衣類で説明したのと同様である。
【００２８】
長く延びた基材には、複数の同一形状の衣類又は一群の関連衣類若しくは付属物が縦方向に連続的に形成される。従って、理論的には一枚の基材から多数の同一衣類又は複数の種類からなる衣類群等を提供することが可能となる。また、各衣類又は衣類群を顧客に提供するために、個々の衣類又は衣類群を含む基材要素毎に分離可能な切り込みをその基材に横方向に横断的に設けても良い。これによって、方形の基材要素毎に基材から容易に分離し、顧客に提供することができる。顧客は、方形状態の基材要素を折り畳んで携帯し、使用する際にその要素から目的とする衣類を切り込みに沿って分離すればよい。
【００２９】
基材は、基本的には２層でよいが、基材の種類によって耐久性や断熱性、保温性が異なるために、その特性や使用目的に応じて３層以上の生地を使用した衣類を形成してもよい。また、色や大きさが異なった生地を更に追加して接合することで、ポケット等の付属部分を新たに追加することもできる。
【００３０】
基材は重ねられた略平坦で延びた形状をなすために、ロール状にすることができる。従って、生産される基材をそのまま１ロットのロールとして管理保管し、その要求に応じてそのまま各店舗に提供することができるため、生産効率と管理の容易性が飛躍的に向上する。また、店舗では、顧客の購入に応じて、そのロール状に巻いた基材から各基材要素に分離して提供する。この場合、各要素間に切り込み線が設けられている場合には、その切り込み線にそって基材要素を基材から分離することもできるし、その切り込み線がない場合には、挟み等の切断治具を使用して一つの又は一群の衣類を含む基材要素に分離しても良い。また、その基材要素の中で使用されない余白部分（領域）には、目的に応じて、手袋や、靴カバー、袋といった付属物を形成しても良い。従って、基材要素に目的に応じた多品目一体製品化を行うことができる。
【００３１】
基材の生地は、熱融着でき、帯状に延在成形可能な素材、例えば、ビニール系や、ポリエステルやレーヨンあるいはナイロン、ポリオレフィンなどの有機素材、又は有機素材同士を合あわせた複合素材、更には、カーボンなどの無機素材と有機素材との複合素材や、環境面を考えて微生物による分解可能なコンポスト素材を含有する。
【００３２】
基材は、その素材が薄いフィルム状に延伸された帯状を成している。その基材は、例えば、素材を長く筒状に押し出して一体成形したのちに、平らに潰して重ね合わせることで重層した薄い扁平のフィルム状にしたり、その素材を扁平のフィルム状の生地に一体成形した後に、その生地を縦方向に折り重ねて複層のフィルム状にして作ることができる。この場合には、一体成形であるが故に、全体的にむらが無く生産がし易いという特徴を有する。また、その素材から個別に同一幅を有する扁平のフィルム状の生地を作り、複数のフィルム生地を重ね合わせることで基材を作ることもできる。この場合には、異素材との複合が可能で、表面処理や色の複合化が可能という特徴を有する。
【００３３】
また、基材は、衣類として使用される繊維が織られ又は編み込まれた帯状のシートであってもよい。例えば、繊維を筒状に織り又は編み込んだのちに、平らに潰して重ね合わせて２層のシートとしたり、繊維を扁平のシート状の生地に織り又は編んで、その生地を重ね又は縦方向に折り重ねて多層のシートとしたりして基材を作ることもできる。
【００３４】
シート生地には、溶融してシート間を熱融着できる素材を含有している。これによって織り生地又は編み生地を衣類状の輪郭に熱溶融接合させて、既に説明した方法によって切取線から衣類を切り離すことが可能である。熱融着できる素材を含有するには、衣類繊維そのものを熱融着できる素材とし、又は衣類繊維に熱溶融素材を繊維状に含ませ、熱融着可能なシート状の衣類生地を作ってもよく、あるいはまた、織り込み又は編み込まれた衣類生地に熱融着可能な素材を含浸させ又はコーティングしながら熱融着可能なシート状の衣類生地を作ってもよい。
【００３５】
多層のフィルム又はシート間の接合は、上下の層となった生地の接合部分に熱を与えることで行われる。フィルム基材又はシート基材は、熱溶融素材を含んでいるために、層間での融着が可能である。衣類として分離するための切取線は、溶融接合と同時に形成してもよく、または接合と別に形成してもよい。尚、融着は既知の如何なる手段によるものでもよい。例えば、超音波振動を衣類の輪郭に沿って局所的に基材に与えて熱を与え溶融させてもよく、かかる輪郭を有する所定形状の発熱体を型形成してその発熱体を基材に接触させて一体的に溶融するようにしてもよい。
【００３６】
【実施例】
以下、簡易レインポンチョの実施例を図面に基づいて説明する。
【００３７】
図１は本発明の、簡易レインポンチョ１をフィルム基材１０に設けられたミシン目状の切取線２から切り取る前の状態の平面図、図２は切取線２から切り取った後の簡易レインポンチョ１の使用状態を表す図、図３は様々なサイズに対応可能な簡易レインポンチョ１を切取線２、２ａ、２ｂ、２ｃ、２ｄ、２ｅ、２ｆから切り取る前の平面図、図４は生地の余白に附属物を設けた状態の切り取り前の平面図である。
【００３８】
図１に示すように、簡易レインポンチョ１は、筒状のコンポスト材料からなる２層のフィルム状の生地を平らに潰したフィルム基材１０に連続的にレインポンチョ１の輪郭のうち袖口と裾以外の部分６を加熱圧着し、その外縁にミシン目状の切り取り線２を設け、フード部では二重になった生地の一枚のみに顔を出すための切り込み７を入れておき、使用する際にこれを１着ずつ切り離して広げることによりレインポンチョ１となるものである。着用状態は図２のようになる。
【００３９】
このような構成とすることにより、簡便かつ安価に簡易レインポンチョを製造できる。
【００４０】
また、フィルム基材１０には、各フィルム要素１１毎に分離可能な切り込み線３が横断的に設けられている。この切り込み線３に沿ってフィルム基材１０の先端からフィルム要素１１を切り離すことができるようになっているため、フィルム要素１１毎に顧客に簡便にレインポンチョ１を提供することができる。
【００４１】
フィルム要素１１を受け取った顧客は、そのまま丸めて、あるいは折り返して持ち歩くことができるとともに、使用する際に、フィルム要素１１から切取線２に沿ってレインポンチョ１を切り離して身につけることが可能となる。
【００４２】
レインポンチョ１の材料となるコンポスト材料は、例えばポリプロピレン系繊維、ポリ塩化ビニリデン系繊維等の撥水性のある薄い生地からなり、その形状は好適には筒型に成形され、それを平らに潰した状態でロール状に巻かれている。これにレインポンチョの輪郭６を熱融着し、ミシン目等の切取線２を入れることにより、供給時には巻かれた生地（フィルム基材）を巻き取って切って供給するという簡易な供給方法をとることができる。尚、図１では切取線２は輪郭６に沿って外縁に設けられているが、輪郭６を形成する接合部分に幅を持たせその中に切取線２を形成することもできる。
【００４３】
図３に示した実施の形態では、様々な体格の人にサイズを合わせるため、袖口及び裾に段階的に複数平行して切取線２ａ、２ｂ、２ｃ、２ｄ、２ｅ、２ｆを設け、着用者の袖丈・着丈に合わせて切り取ることができるようになっている。
【００４４】
図４に示した実施の形態では、本発明の簡易レインポンチョ１が登山・ゴルフ等の行楽やスポーツの際のみならず、台風や大雨・洪水・地震等の災害時にも使用されるという観点から、同時に供給されれば便利だと考えられる手袋４、靴カバー５、及び袋物８をフィルム基材の余白部分に設けている。
【図面の簡単な説明】
【図１】本発明の簡易レインポンチョを切取線から切り取る前の状態の平面図である。
【図２】本発明の簡易レインポンチョの使用状態を表す図である。
【図３】様々なサイズに対応可能な簡易レインポンチョを切取線から切り取る前の平面図である。
【図４】簡易レインポンチョの生地の余白に附属物を設けた状態の切り取り前の平面図である。
【符号の説明】
１． ．．簡易レインポンチョ
２、２ａ、２ｂ、２ｃ、２ｄ、２ｅ、２ｆ．．．切取線
３．．．切り込み
６．．．輪郭
１０．．．フィルム基材
１１．．．フィルム要素
【図１】
0003740601.tif 000002
【図２】
0003740601.tif 000003
【図３】
0003740601.tif 000004
【図４】
0003740601.tif 000005